(57)【要約】      （修正有）【課題】傘を挿入保持した傘立てが乱雑な外観を呈しないようにした傘立てカバーを提供する。【解決手段】半円形の布１０を用意し、中央の折曲げ線のところで折曲げて折返し線を縫合わせる。また裾の部分については、折返し線のところで縫いしろ１６を内側に折曲げて縫合わせる。これによって中空のスカート状に組立て、傘を入れた傘立ての上に被せるようにする。【選択図】図２
0003179877.tif 000002
【実用新案登録請求の範囲】
【請求項１】
シート状の材料によって中空のスカート状に組立てられ、傘をいれた傘立ての上に被せるようにした傘立てカバー。
【請求項２】
シート状の材料が、織布、編布、不織布、高分子フィルム、高分子シート、硬質のシート、成形体の何れかである請求項１に記載の傘立てカバー。
【請求項３】
半円形の布から構成され、該布を前記半円の半分に折畳んで重合わされた前記半円の直径に当る端の部分を縫合して中空のスカート状に組立てられる請求項１に記載の傘立てカバー。
【請求項４】
前記半円の半径よりも長い細条の布を縮めながら前記半円の半分に折畳んで重合わされた直径に当る端の部分と一緒に縫合わせて縦方向に延びるフリルを形成した請求項１または請求項３に記載の傘立てカバー。
【請求項５】
前記半円の外周部に沿って細条の布を縮めながら縫合わせるとともに、縫合わせた部分に紐またはゴム紐を入れて裾の部分にフリルを形成した請求項１に記載の傘立てカバー。
【請求項６】
長方形の布またはシートによって円筒状に組立て、上部開口を絞って閉じた請求項１に記載の傘立てカバー。
【請求項７】
中心角が所定の角度の円弧状のシートの円周方向の両端を接合し、円錐状に形成した請求項１に記載の傘立てカバー。
【請求項８】
上端側の頂部にフック状の取手が取付けられている請求項１〜５の何れかに記載の傘立てカバー。
【考案の詳細な説明】
【技術分野】
【０００１】
本考案は傘立てカバーに係り、とくに傘を入れた傘立ての上に被せる傘立てカバーに関する。
【背景技術】
【０００２】
例えば特開２０００−１５７４０４号公報には、１本の傘をその先端側から収納する第１の収納部材と、この第１の収納部材の内部に配され上記傘の先端部を受ける受け止め皿と、上記第１の収納部材の周囲に配される第２の収納部材と、上記受け止め皿に一緒に連結され他端が上記第２の収納部材に連結される紐状部材とを備え、上記紐状部材は反転部で反転され、そして、傘用スタンドは、上記傘立て具が一つの基台に複数配された傘用スタンドが開示されている。
【０００３】
このような傘用スタンドは、一つ一つの雨傘をそれぞれ別々に収納保持するようにしており、これらを全体として覆うようにはなっていない。そして傘立てに乱雑に雨傘が挿入された状態は、必ずしも良好な外観を呈するものではなく、場合によって見苦しく、あるいはまた周囲の美観を損なう可能性がある。
【先行技術文献】
【特許文献】
【０００４】
【特許文献１】特開２０００−１５７４０４号公報
【考案の概要】
【考案が解決しようとする課題】
【０００５】
本願考案の課題は、傘を挿入保持した傘立てが乱雑な外観を呈しないようにした傘立てカバーを提供することである。
【０００６】
本願考案の別の課題は、傘を挿入した傘立てによって周囲の美観が損なわれるのを防止するようにした傘立てカバーを提供することである。
【０００７】
本願考案の上記の課題および別の課題は、以下に述べる本願考案の技術的思想およびその実施の形態によって明らかにされる。
【課題を解決するための手段】
【０００８】
本願の主要な考案は、シート状の材料によって中空のスカート状に組立てられ、傘をいれた傘立ての上に被せるようにした傘立てカバーに関するものである。
【０００９】
ここで、シート状の材料が、織布、編布、不織布、高分子フィルム、高分子シート、硬質のシート、成形体の何れかであってよい。また半円形の布から構成され、該布を前記半円の半分に折畳んで重合わされた前記半円の直径に当る端の部分を縫合して中空のスカート状に組立てられてよい。また前記半円の半径よりも長い細条の布を縮めながら前記半円の半分に折畳んで重合わされた直径に当る端の部分と一緒に縫合わせて縦方向に延びるフリルを形成してよい。また前記半円の外周部に沿って細条の布を縮めながら縫合わせるとともに、縫合わせた部分に紐またはゴム紐を入れて裾の部分にフリルを形成してよい。また長方形の布またはシートによって円筒状に組立て、上部開口を絞って閉じた形状としてよい。また中心角が所定の角度の円弧状のシートの円周方向の両端を接合し、円錐状に形成してよい。また上端側の頂部にフック状の取手が取付けられていてよい。
【考案の効果】
【００１０】
本願の主要な考案は、シート状の材料によって中空のスカート状に組立てられ、傘をいれた傘立ての上に被せるようにしたものである。
【００１１】
従ってこのような傘立てカバーによると、傘立てとともにこの傘立てに挿入された傘が傘立てカバーによって覆われるようになり、乱雑に傘立て内に挿入された傘による不揃いさに伴う外観の悪化を防止できるようになり、周囲の美観の改善につながる。
【図面の簡単な説明】
【００１２】
【図１】第１の実施の形態の傘立てカバーを組立てるための布の展開平面図である。
【図２】同布によって組立てられた傘立てカバーの外観斜視図（Ａ）、およびこの傘立てカバーを傘立ての上に被せた状態の斜視図（Ｂ）である。
【図３】第２の実施の形態の傘立てカバーを組立てる布の展開平面図である。
【図４】同布によって組立てられた傘立てカバーの外観斜視図である。
【図５】第３の実施の形態の傘立てカバーを組立てる布の展開平面図である。
【図６】同布によって組立てられた傘立てカバーの外観斜視図である。
【図７】第４の実施の形態の傘立てカバーを組立てる布の展開平面図である。
【図８】同傘立てカバーを組立てる途中の円筒体の斜視図（Ａ）、および同円筒体の上部を絞って形成された傘立てカバーの外観斜視図（Ｂ）である。
【図９】第５の実施の形態の傘立てカバーを組立てるシートの展開平面図である。
【図１０】同シートによって組立てられた円錐状の傘立てカバーの外観斜視図である。
【考案を実施するための形態】
【００１３】
以下本願考案を図示の実施の形態によって説明する。図１は、第１の実施の形態の傘立てカバーを組立てるための布の展開平面図を示している。すなわち傘立てカバーの材料としては、織布、編布、不織布、高分子フィルム、高分子シート、硬質シート、成形体等が用いられる。ここでは織布が用いられており、半円形の布１０によって傘立てカバーが組立てられる。半円形の布１０は、その下端側の部分に、縁に沿って折返し線１１が形成されるとともに、この折返し線１１の下端側が細条の縫いしろ１２になっている。またこの半円形の布１０の中央を縦方向に横切るように折曲げ線１４が形成され、この折曲げ線１４によって半円形の布１０をさらに半分に折畳んで中心角が９０度の扇型の形状に折曲げるようにしている。また半円形の布１０の外周縁であって円弧状部分に沿って折返し線１５が形成されるとともに、この折返し線１５の先端側が縫いしろ１６になっている。
【００１４】
このような半円形の布１０によって傘立てカバーを組立てる場合には、半円形の布１０の円弧状の部分の折返し線１５の先端側の縫いしろ１６を内側に折曲げて縫合わせる。さらに中央の縦方向に延びる折曲げ線１４のところでこの半円形の布１０を二重に折畳む。そして折返し線１１のところで縫いしろ１２を内側に折曲げて折返し線１１に沿って縦方向に縫合わせ、これによって図２に示す中空のスカート状に組立てる。この場合に、上記折返し線１５に沿う部分が下方に開口し、内部が中空のスカート状になる。なおスカート状の形状のとくに開き具合を調整するために、縫いしろ１６の内側の部分に紐またはゴム紐１９（図２参照）を挿入するようにしてよい。
【００１５】
図２Ａはこのようにして組立てられたスカート状の傘立てカバー２０である。このような傘立てカバー２０は、図２Ｂに示すように傘立て２２に上方から被せられる。このときに傘立て２２に挿入されている雨傘２３が乱雑であっても、これらの雨傘２３を隠すことになる。なお半円形の布１０に予め所定のデザインを施し、あるいはまた組立てられた後に外部（外表面）に所定の柄の模様を形成することができ、これによってこの傘立てカバー２０の意匠性を向上させることが可能になる。
【００１６】
次に第２の実施の形態を図３および図４によって説明する。この実施の形態は、縦方向にフリル３３を形成したものである。すなわち図３Ｂに示すように、半円形の布１０の横方向の半径の長さよりもやや長い細条の布３０を用意し、縫いしろ１２の部分を折返し線１１のところで折返して縫う際に、この細条の布３０を縮めながら折返し線１１に沿って折込むようにする。すると細条の布３０によってフリル３３が縦方向に形成される。
【００１７】
またこのような組立ての際に、とくに図３Ｃに示すような細条の布３０を頂部に当たる部分に縫込むことによって、取手３４が形成される。この取手３１によってフック等にこの傘立てカバーを掛けておくことが可能になる。
【００１８】
次に第３の実施の形態を図５および図６によって説明する。この実施の形態は、図５Ｂに示す細条の布３０が、半円形の布１０の折返し線１５の９０度の角度に対応する長さよりもやや大きく構成されており、折返し線１５に沿って縫いしろ１６を縫合わせる際に、細条の布３０を縮めながら折込むようにしている。従って半円形の布１０によって中空のスカート状に組立てられる際に、その裾の部分に図６に示すようなフリル３３が形成される。また同時に、頂部には、図５Ｃに示すような細条の布３０を用いて取手３４が形成されることになる。
【００１９】
次に第４の実施の形態を図７および図８によって説明する。この実施の形態は、図７Ａに示すように、長方形の布を用いるようにしている。長方形の布の縦方向の両端には折曲げ線３８が形成され、またこの布３７の上下の部分には横方向に延びる折曲げ線３９が形成されている。これらによって、長方形の布３７は縦方向および横方向の両端がそれぞれ折曲げられるようになっている。また取手用の細条の布４０が用意される（図７Ｂ参照）。
【００２０】
図８に示すように、長方形の布３７はその縦方向の両端を接合するようにして円筒状に丸められる。なおこの円筒体４１の上下の端部はそれぞれ折曲げ線３９のところで折返されて縫合わされるようになる。そして図８Ｂに示すように、円筒体４１の上端側の折曲げ線３９によって形成される上縁に沿った挿通部に紐４２が挿通される。この紐４２は、円筒体４１の上部開口を絞るためのものである。上部開口を紐４２で絞った後に、止め具４３によって紐４２を固定するようにしている。これによって上端が紐４２で絞られて閉塞されるようになり、傘立てカバー２０が組立てられる。
【００２１】
次に第５の実施の形態を図９および図１０によって説明する。この実施の形態は、高分子フィルムまたは高分子シート４８が用いられる。高分子フィルムあるいは高分子シート４８は、所定の角度、例えば１３０度の中心角を有するように円弧状に切取られる。従ってその中心線に対してそれぞれ両側に６５度の角度を有する円弧状の部分を連続して備えることになる。このように中心角が１３０度であって両側に６５度の円弧状部を備えるシート４８は、円周方向の両端の折曲げ線５１の外側の接合部分を互いに重合わせるようにしている。そして細条のシート５０によって取手を形成するようにしている。
【００２２】
図１０はこのような円弧状のシート４８を用いて組立てた傘立てカバー２０を示しており、ここでは組立てた形状が円錐形状になる。そしてその頂部には細条のシート５０によって取手３４が取付けられるようになる。なおこのような形状の円弧状のシート４８には、予め裁断される前に所定の形状の模様、絵柄等を印刷によって形成することができ、これによって極めて意匠効果の高い傘立てカバー２０を提供することが可能になる。
【００２３】
以上本願考案を図示の実施の形態によって説明したが、本願考案は上記実施の形態によって限定されることなく、本願考案の技術的思想の範囲内において各種の変更が可能である。例えば上記実施の形態における半円形の布１０は必ずしも織布である必要はなく、編布、不織布等の別の布であってよい。さらにはまた、高分子フィルムや高分子シート、あるいは硬質のシートを用いることが可能である。さらには成形体の予め所定の形状に成形された傘立てカバーとしてもよい。
【産業上の利用可能性】
【００２４】
本願考案は、傘をいれておく傘立てのカバーとして利用することができる。
【符号の説明】
【００２５】
１０  半円形の布
１１  折返し線
１２  縫いしろ
１４  折曲げ線
１５  折返し線
１６  縫いしろ
１９  紐またはゴム紐
２０  傘立てカバー
２２  傘立て
２３  雨傘
３０  細条の布（フリル用）
３１  細条の布（取手用）
３３  フリル
３４  取手
３７  長方形の布
３８  折曲げ線（縦）
３９  折曲げ線（横）
４０  細条の布
４１  円筒体
４２  紐
４３  止め具
４８  円弧状のシート
４９  折曲げ線
５０  細条のシート
５１  折曲げ線
【図１】
0003179877.tif 000003
【図２】
0003179877.tif 000004
【図３】
0003179877.tif 000005
【図４】
0003179877.tif 000006
【図５】
0003179877.tif 000007
【図６】
0003179877.tif 000008
【図７】
0003179877.tif 000009
【図８】
0003179877.tif 000010
【図９】
0003179877.tif 000011
【図１０】
0003179877.tif 000012